(57)【要約】      （修正有）【課題】物品収容室に物品を柔軟に出し入れし易い構成をなし、且つ、使用時において開口部を閉じた状態に維持し易い鞄を提供する。【解決手段】鞄は、鞄本体１と、鞄本体１を支持し得る支持部材２とを備えたものである。鞄本体１が、左のファスナーＬＦにより物品収容空間と外部空間との間を開閉可能に構成した左開口部Ｂと、右のファスナーＲＦにより物品収容空間と外部空間との間を開閉可能に構成した右開口部Ｃとを備えている。支持部材２が、一端を左のファスナーＬＦを構成する左スライダーＬＳに連結したものであり、他端を右のファスナーＲＦを構成する右スライダーＲＳに連結したものである。【選択図】図４
0003223040.tif 000002
【実用新案登録請求の範囲】
【請求項１】
物品を収容し得る物品収容空間を有した鞄本体と、この鞄本体を支持し得る帯状部分又は紐状部分を有した支持部材とを備えてなる鞄であって、
前記鞄本体が、上下方向に延びるように配設された左のファスナーにより前記物品収容空間と外部空間との間を開閉可能に構成した左開口部と、上下方向に延びるように配設された右のファスナーにより前記物品収容空間と外部空間との間を開閉可能に構成した右開口部とを備えたものであり、
前記支持部材が、一端を前記左のファスナーを構成する左スライダーに連結したものであり、他端を前記右のファスナーを構成する右スライダーに連結したものであることを特徴とする鞄。
【請求項２】
前記左のファスナーが、複数の歯が並び設けられた帯状をなす第一、第二の左ファスナー構成要素と、これら第一、第二の左ファスナー構成要素に対するスライド動作により前記複数の歯の接離を実行する前記左スライダーとを備えたものであり、
前記右のファスナーが、複数の歯が並び設けられた帯状をなす第一、第二の右ファスナー構成要素と、これら第一、第二の右ファスナー構成要素に対するスライド動作により前記複数の歯の接離を実行する前記右スライダーとを備えたものであり、
前記左スライダーが、前記第一、第二の左ファスナー構成要素の上端部に位置する上位置と前記第一、第二の左ファスナー構成要素の下端部に位置する下位置との間を上下方向にスライド移動し得るものであり、
前記右スライダーが、前記第一、第二の右ファスナー構成要素の上端部に位置する上位置と前記第一、第二の右ファスナー構成要素の下端部に位置する下位置との間を上下方向にスライド移動し得るものであり、
前記左のファスナーは、前記左スライダーが前記上位置に位置するときに前記左開口部を閉じ得るものであり、
前記右のファスナーは、前記右スライダーが前記上位置に位置するときに前記右開口部を閉じ得るものである請求項１記載の鞄。
【請求項３】
前記鞄本体が、複数の縦折り線が形成された蛇腹状をなす蛇腹部材を主体に構成されたものであり、
前記蛇腹部材が、矩形シート状をなす複数の蛇腹構成シート部を有し、隣り合う前記蛇腹構成シート部の境界部分に前記縦折り線が形成されたものであり、
前記複数の蛇腹構成シート部の上端部同士が縫着されているとともに前記複数の蛇腹構成シート部の下端部同士が縫着されており、
対向する一対の蛇腹構成シート部の間に前記物品収容空間が形成されている請求項１又は２記載の鞄。
【考案の詳細な説明】
【技術分野】
【０００１】
本考案は、種々の物品を収容し得る鞄に関するものである。
【背景技術】
【０００２】
既知の鞄として、ファスナーを用いて物品収容空間と外部空間との間を連通可能に構成したものが存在している（例えば特許文献１参照）。
【０００３】
この種の鞄は、ファスナーにより開閉可能な上向きの開口部を有しており、当該上向きの開口部が開いた状態のままで使用される（搬送及び載置される）ことも少なくない。鞄は、開口部が開いた状態のまま使用されてしまうと、物品収容空間に収容された物品が外部に落下したり盗難されたりして紛失するという懸念を招きやすいことは明らかである。
【先行技術文献】
【特許文献】
【０００４】
【特許文献１】実用新案登録第３１２４６２５号公報
【考案の概要】
【考案が解決しようとする課題】
【０００５】
本考案は、このような課題に着目してなされたものであって、物品収容空間に種々の物品を柔軟に出し入れし易い構成をなし、且つ、使用時において開口部を閉じた状態に保持し得る設計の自由度に優れた鞄を提供することにある。
【課題を解決するための手段】
【０００６】
すなわち、本考案は次の構成をなしている。
【０００７】
請求項１に記載の考案は、物品を収容し得る物品収容空間を有した鞄本体と、この鞄本体を支持し得る帯状部分又は紐状部分を有した支持部材とを備えてなる鞄であって、前記鞄本体が、上下方向に延びるように配設された左のファスナーにより前記物品収容空間と外部空間との間を開閉可能に構成した左開口部と、上下方向に延びるように配設された右のファスナーにより前記物品収容空間と外部空間との間を開閉可能に構成した右開口部とを備えたものであり、前記支持部材が、一端を前記左のファスナーを構成する左スライダーに連結したものであり、他端を前記右のファスナーを構成する右スライダーに連結したものであることを特徴とする鞄である。
【０００８】
請求項２に記載の考案は、前記左のファスナーが、複数の歯が並び設けられた帯状をなす第一、第二の左ファスナー構成要素と、これら第一、第二の左ファスナー構成要素に対するスライド動作により前記複数の歯の接離を実行する前記左スライダーとを備えたものであり、前記右のファスナーが、複数の歯が並び設けられた帯状をなす第一、第二の右ファスナー構成要素と、これら第一、第二の右ファスナー構成要素に対するスライド動作により前記複数の歯の接離を実行する前記右スライダーとを備えたものであり、前記左スライダーが、前記第一、第二の左ファスナー構成要素の上端部に位置する上位置と前記第一、第二の左ファスナー構成要素の下端部に位置する下位置との間を上下方向にスライド移動し得るものであり、前記右スライダーが、前記第一、第二の右ファスナー構成要素の上端部に位置する上位置と前記第一、第二の右ファスナー構成要素の下端部に位置する下位置との間を上下方向にスライド移動し得るものであり、前記左のファスナーは、前記左スライダーが前記上位置に位置するときに前記左開口部を閉じ得るものであり、前記右のファスナーは、前記右スライダーが前記上位置に位置するときに前記右開口部を閉じ得るものである請求項１記載の鞄である。
【０００９】
請求項３に記載の考案は、前記鞄本体が、複数の縦折り線が形成された蛇腹状をなす蛇腹部材を主体に構成されたものであり、前記蛇腹部材が、矩形シート状をなす複数の蛇腹構成シート部を有し、隣り合う前記蛇腹構成シート部の境界部分に前記縦折り線が形成されたものであり、前記複数の蛇腹構成シート部の上端部同士が縫着されているとともに前記複数の蛇腹構成シート部の下端部同士が縫着されており、対向する一対の蛇腹構成シート部の間に前記物品収容空間が形成されている請求項１又は２記載の鞄である。
【考案の効果】
【００１０】
以上説明したように本考案によれば、物品収容空間に種々の物品を柔軟に出し入れし易い構成をなし、且つ、使用時において開口部を閉じた状態に保持し得る設計の自由度に優れた鞄を提供することができる。
【図面の簡単な説明】
【００１１】
【図１】本考案の一実施形態を示す正面図。
【図２】図１におけるＸ−Ｘ線概略端面図。
【図３】図１におけるＹ−Ｙ線概略端面図。
【図４】同実施形態の使用状態を説明する正面図。
【考案を実施するための形態】
【００１２】
以下、本考案の一実施形態を、図１〜４を参照して説明する。
【００１３】
この実施形態は、本考案を使用者の肩にかけて使用する鞄Ａ（いわゆる「ショルダーバッグ」であるが、本明細書では単に「鞄Ａ」という。）に適用したものである。
【００１４】
鞄Ａは、物品を収容し得る複数の物品収容空間すなわち第一、第二、第三の物品収容空間ｓ１、ｓ２、ｓ３を有した鞄本体１と、鞄本体１を支持し得る帯状部分２１１を有した支持部材２とを備えてなる。
【００１５】
以下、鞄Ａの各構成について詳述する。
【００１６】
鞄本体１は、布材を主体に作られている。鞄本体１は、内部に物品を収容し得る構成を有している。
【００１７】
すなわち、鞄本体１は、上下方向に延びるように配設された左のファスナーＬＦにより単一の物品収容空間たる第一の物品収容空間ｓ１と外部空間との間を開閉可能に構成した左開口部Ｂと、上下方向に延びるように配設された右のファスナーＲＦにより二つの物品収容空間たる第二、第三の物品収容空間ｓ２、ｓ３と外部空間との間を開閉可能に構成した右開口部Ｃとを備えたものである。換言すれば、鞄本体１は、左右の両側部に物品を出し入れ可能な横向き開口部である左開口部Ｂ及び右開口部Ｃを設けてなるものである。
【００１８】
鞄本体１は、図２に示すように、複数の縦折り線ｆが形成された蛇腹状をなす蛇腹部材Ｊを主体に構成されたものである。蛇腹部材Ｊは、左右方向に長手をなす一枚のシート材たる布材を蛇腹折り（外四つ折り）した形態をなしており、当該蛇腹折りに伴って上下方向に延びてなる複数の縦折り線ｆが形成されている。
【００１９】
蛇腹部材Ｊは、図２に示すように、略矩形シート状をなす複数の蛇腹構成シート部すなわち前側から後側に向かって順に、第一、第二、第三、及び、第四の蛇腹構成シート部１１、１２、１３、１４を有している。蛇腹部材Ｊは、隣り合う蛇腹構成シート部の境界部分すなわち第一の蛇腹構成シート部１１と第二の蛇腹構成シート部１２との境界部分、第二の蛇腹構成シート部１２と第三の蛇腹構成シート部１３との境界部分、及び、第三の蛇腹構成シート部１３と第四の蛇腹構成シート部１４との境界部分にそれぞれ縦折り線ｆが形成されている。
【００２０】
鞄本体１は、図３に示すように、第一、第二、第三、第四の蛇腹構成シート部１１、１２、１３、１４の上端部同士を縫着するとともに第一、第二、第三、第四の蛇腹構成シート部１１、１２、１３、１４の下端部同士を縫着することにより、複数の物品収容空間たる第一、第二、及び、第三の物品収容空間ｓ１、ｓ２、ｓ３を形成している。
【００２１】
より具体的に言えば、鞄本体１は、対向する一対の蛇腹構成シート部の間すなわち対向する第一、第二の蛇腹構成シート部１１、１２の間に第二の物品収容空間ｓ２が設けられており、対向する第二、第三の蛇腹構成シート部１２、１３の間に第一の物品収容空間ｓ１が設けられており、対向する第三、第四の蛇腹構成シート部１３、１４の間に第三の物品収容空間ｓ３が設けられている。
【００２２】
ところで、蛇腹部材Ｊは、まず、一枚のシート材たる布材を巻四つ折にすることにより巻四つ折体を形成し、次いで、当該巻四つ折体の上端縁部及び下端縁部における布材の重なり合い部分を縫い付けることにより巻四つ折縫着体を製造し、しかる後に、当該巻四つ折縫着体の状態において向き合う関係にある第一の蛇腹構成シート部１１の向き合い面と第四の蛇腹構成シート部１４の向き合い面とをそれぞれ最外面に位置するように逆転させる（裏返しする）ことにより作られている。第一の蛇腹構成シート部１１の向き合い面と第四の蛇腹構成シート部１４の向き合い面とを裏返した結果、第一の蛇腹構成シート部１１の向き合い面が蛇腹部材１の前面を構成するとともに第四の蛇腹構成シート部１４の向き合い面が蛇腹部材１の背面を構成するものとなっている。
【００２３】
この実施形態では、鞄本体１は、横方向に開放され得る左開口部Ｂを通じて単一の物品収容空間（すなわち第一の物品収容空間ｓ１）を利用し得るとともに横方向に開放され得る右開口部Ｃを通じて二つの物品収容空間（すなわち第二、第三の物品収容空間ｓ２、ｓ３）を利用し得るものとなっている。
【００２４】
鞄本体１の左開口部Ｂには、当該左開口部Ｂを開閉可能な左のファスナーＬＦが設けられている。左のファスナーＬＦは、複数の歯Ｈが並び設けられた帯状をなす第一、第二の左ファスナー構成要素ＬＦ１、ＬＦ２と、第一、第二の左ファスナー構成要素ＬＦ１、ＬＦ２に対するスライド動作により複数の歯Ｈの接離を実行する左スライダーＬＳを備えたものである。
【００２５】
図２に示すように、第一の左ファスナー構成要素ＬＦ１は、左開口部Ｂを構成する蛇腹部材Ｊにおける第二の蛇腹構成シート部１２の左側端部に縫着されている。第二の左ファスナー構成要素ＬＦ２は、左開口部Ｂを構成する蛇腹部材Ｊにおける第三の蛇腹構成シート部１３の左側端部に縫着されている。
【００２６】
左スライダーＬＳは、図４に示すように、第一、第二の左ファスナー構成要素ＬＦ１、ＬＦ２の上端部に位置する上位置（Ｕ）と第一、第二の左ファスナー構成要素ＬＦ１、ＬＦ２の下端部に位置する下位置（Ｄ）との間を上下方向にスライド移動し得るものとなっている。
【００２７】
そして、左のファスナーＬＦは、左スライダーＬＳが上位置（Ｕ）に位置するときに左開口部Ｂを閉じ得るように構成されており、左スライダーＬＳが下位置（Ｄ）に位置するときに左開口部Ｂを開き得るように構成されている。
【００２８】
なお、左スライダーＬＳは、下位置（Ｄ）から上位置（Ｕ）に向かう方向のスライド動作はスムーズに実行し得るように構成されている一方で、上位置（Ｕ）から下位置（Ｄ）に向かう方向のスライド動作は所定の姿勢を採らない限り実行できないように構成されている。換言すれば、鞄本体１の左開口部Ｂは左のファスナーＬＦの規制機能により使用者の意思に反して開くことが無いように構成されている。
【００２９】
鞄本体１の右開口部Ｃには、当該右開口部Ｃを開閉可能な右のファスナーＲＦが設けられている。右のファスナーＲＦは、複数の歯Ｈが並び設けられた帯状をなす第一、第二の右ファスナー構成要素ＲＦ１、ＲＦ２と、第一、第二の右ファスナー構成要素ＲＦ１、ＲＦ２に対するスライド動作により複数の歯Ｈの接離を実行する右スライダーＲＳとを備えたものである。
【００３０】
図２に示すように、第一の右ファスナー構成要素ＲＦ１は、右開口部Ｃを構成する蛇腹部材Ｊにおける第一の蛇腹構成シート部１１の右側端部に縫着されている。第二の右ファスナー構成要素ＲＦ２は、右開口部Ｃを構成する蛇腹部材Ｊにおける第四の蛇腹構成シート部１４の右側端部に縫着されている。
【００３１】
右スライダーＲＳは、図４に示すように、第一、第二の右ファスナー構成要素ＲＦ１、ＲＦ２の上端部に位置する上位置（Ｕ）と第一、第二の右ファスナー構成要素ＲＦ１、ＲＦ２の下端部に位置する下位置（Ｄ）との間を上下方向にスライド移動し得るものとなっている。
【００３２】
そして、右のファスナーＲＦは、右スライダーＲＳが上位置（Ｕ）に位置するときに右開口部Ｃを閉じ得るように構成されており、右スライダーＲＳが下位置（Ｄ）に位置するときに右開口部Ｃを開き得るように構成されている。
【００３３】
なお、右スライダーＲＳは、下位置（Ｄ）から上位置（Ｕ）に向かう方向のスライド動作はスムーズに実行し得るように構成されている一方で、上位置（Ｕ）から下位置（Ｄ）に向かう方向のスライド動作は所定の姿勢を採らない限り実行できないように構成されている。換言すれば、鞄本体１の右開口部Ｃは右のファスナーＲＦの規制機能により使用者の意思に反して開くことが無いように構成されている。
【００３４】
支持部材２は、鞄本体１を使用者の肩に掛けて支持させるためのものである。支持部材２は、一端すなわち左の連結具２Ｌの端を左のファスナーＬＦを構成する左スライダーＬＳに連結したものであり、他端すなわち右の連結具２Ｒの端を右のファスナーＲＦを構成する右スライダーＲＳに連結したものである。
【００３５】
支持部材２は、使用者の肩に当接する主要部をなす帯状部分２１１を有した支持部材本体２１と、支持部材本体２１の一端に設けられ左のファスナーＬＦにおける左スライダーＬＳと連結した左の連結具２Ｒと、支持部材本体２１の他端に設けられ右のファスナーＲＦにおける右スライダーＲＳと連結した右の連結具２Ｒとを備えたものである。
【００３６】
以上に述べたように、本実施形態に係る鞄Ａは、物品を収容し得る三つの物品収容空間すなわち第一、第二、及び、第三の物品収容空間ｓ１、ｓ２、ｓ３を有した鞄本体１と、鞄本体１を支持し得る帯状部分２１１を有した支持部材２とを備えてなるものである。
【００３７】
そして、鞄本体１が、上下方向に延びるように配設された左のファスナーＬＦにより第一の物品収容空間ｓ１と外部空間との間を開閉可能に構成した左開口部Ｂと、上下方向に延びるように配設された右のファスナーＲＦにより第二、第三の物品収容空間ｓ２、ｓ３と外部空間との間を開閉可能に構成した右開口部Ｃとを備えている。
【００３８】
支持部材２が、一端を左のファスナーＬＦを構成する左スライダーＬＳに連結したものであり、他端を右のファスナーＲＦを構成する右スライダーＲＳに連結したものとなっている。
【００３９】
このため、本実施形態の鞄Ａであれば、左開口部Ｂと右開口部Ｃを有し、第一、第二、及び、第三の物品収容空間ｓ１、ｓ２、ｓ３に種々の物品を柔軟に出し入れし易い構成をなしているだけでなく、使用時において右開口部Ｃと左開口部Ｂとを閉じた状態に保持し得る設計の自由度に優れた鞄Ａを提供し得るものとなる。
【００４０】
つまり、鞄Ａは、左開口部Ｂを閉塞し得る左のファスナーＬＦにおける左スライダーＬＳに支持部材２の一端が直結しており、右開口部Ｃを閉塞し得る右のファスナーＲＦにおける右スライダーＲＳに支持部材２の他端が直結している。このため、鞄本体１を支持部材２により吊下げ支持する際に、鞄本体１の左開口部Ｂ及び右開口部Ｃを閉じた状態に保持し易いものとなっている。
【００４１】
換言すれば、本実施形態における鞄Ａの使用者は、鞄本体１に設けられた左開口部Ｂ及び右開口部Ｃを開けっ放しにし難くなる。その結果、従来の鞄のように、開口部を開けっ放しにした状態が放置されることによる弊害、例えば、内部に収納された物品が落下してしまったり、内部に収容された物品が盗難されてしまったりするという弊害は、好適に抑制されたものとなっている。
【００４２】
左のファスナーＬＦが、複数の歯Ｈが並び設けられた帯状をなす第一、第二の左ファスナー構成要素ＬＦ１、ＬＦ２と、第一、第二の左ファスナー構成要素ＬＦ１、ＬＦ２に対するスライド動作により複数の歯Ｈの接離を実行する左スライダーＬＳを備えたものである。
【００４３】
そして、右のファスナーＲＦが、複数の歯Ｈが並び設けられた帯状をなす第一、第二の右ファスナー構成要素ＲＦ１、ＲＦ２と、第一、第二の右ファスナー構成要素ＲＦ１、ＲＦ２に対するスライド動作により複数の歯Ｈの接離を実行する右スライダーＲＳを備えたものである。
【００４４】
左スライダーＬＳが、第一、第二の左ファスナー構成要素ＬＦ１、ＬＦ２の上端部に位置する上位置（Ｕ）と第一、第二の左ファスナー構成要素ＬＦ１、ＬＦ２の下端部に位置する下位置（Ｄ）との間を上下方向にスライド移動し得るものである。
【００４５】
右スライダーＲＳが、第一、第二の右ファスナー構成要素ＲＦ１、ＲＦ２の上端部に位置する上位置（Ｕ）と第一、第二の右ファスナー構成要素ＲＦ１、ＲＦ２の下端部に位置する下位置（Ｄ）との間を上下方向にスライド移動し得るものである。
【００４６】
そして、左のファスナーＬＦは、左スライダーＬＳが上位置（Ｕ）に位置するときに左開口部Ｂを閉じ得るものであり、右のファスナーＲＦは、右スライダーＲＳが上位置（Ｕ）に位置するときに右開口部Ｃを閉じ得るものである。
【００４７】
このため、支持部材２は、左開口部Ｂ及び右開口部Ｃが閉じられた状態の鞄本体１をバランスよく支持し得るものとなっている。
【００４８】
鞄本体１が、複数の縦折り線ｆが形成された蛇腹状をなす蛇腹部材Ｊを主体に構成されている。そして、蛇腹部材Ｊが、矩形シート状をなす複数の蛇腹構成シート部たる第一、第二、第三、及び、第四の蛇腹構成シート部１１、１２、１３、１４を有し、隣り合う蛇腹構成シート部の境界部分である第一、第二の蛇腹構成シート部１１、１２の境界部分、第二、第三の蛇腹構成シート部１２、１３の境界部分、及び、第三、第四の蛇腹構成シート部１３、１４の境界部分に縦折り線ｆが形成されたものである。そして、第一、第二、第三、及び、第四の蛇腹構成シート部１１、１２、１３、１４の上端部同士を縫着するとともに第一、第二、第三及び、第四の蛇腹構成シート部１１、１２、１３、１４の下端部同士を縫着することにより、対向する一対の蛇腹構成シート部の間である対向する第一、第二の蛇腹構成シート部１１、１２の間、対向する第二、第三の蛇腹構成シート部１２、１３の間、及び、対向する第三、第四の蛇腹構成シート部１３、１４の間に、第一、第二、第三の物品収容空間ｓ１、ｓ２、ｓ３が形成されたものである。
【００４９】
このため、鞄本体１が、物品を第一、第二、第三の物品収容空間ｓ１、ｓ２、ｓ３に選択的に収容し得るものとなるため、使用者における収納の利便性に優れたものとなっている。
【００５０】
なお、本考案は、以上に詳述した実施形態に限られるものではない。
【００５１】
鞄は、ショルダーバッグに限られるものではない。すなわち、支持部材は、使用者の肩に掛けられるような比較的長尺のものに限られるものではなく、使用者の手に把持され得るだけの比較的短い寸法のものであってもよい。また、支持部材は、帯状部分を有するものに限られず、紐状部分を有するものであってもよい。
【００５２】
鞄本体の物品収容空間は単一のものであってもよい。換言すれば、鞄本体は、左開口部及び右開口部から共通の物品収容空間（すなわち単一の物品収容空間）にアクセスし得るものであってもよい。
【００５３】
鞄本体の形態は正面視において矩形状のものに限られるものではなく、どのような形状のものであってもよい。
【００５４】
左スライダー及び右スライダーの直結される支持部材の一端及び他端の具体的構成は適宜のものを採用することができ、上述した実施形態に示されたものに限られるものではない。
【００５５】
左スライダーが下位置に位置するときに左開口部を閉じ得るものであってもよく、右スライダーが下位置に位置するときに右開口部を閉じ得るものであってもよい。
【００５６】
その他、各部の具体的構成についても上記実施形態に限られるものではなく、本考案の趣旨を逸脱しない範囲で種々変形が可能である。
【符号の説明】
【００５７】
Ａ…鞄
１…鞄本体
２…支持部材
Ｂ…左開口部
Ｃ…右開口部
Ｊ…蛇腹部材
ＬＦ…左のファスナー
ＲＦ…右のファスナー
【図１】
0003223040.tif 000003
【図２】
0003223040.tif 000004
【図３】
0003223040.tif 000005
【図４】
0003223040.tif 000006